(57)【要約】      （修正有）【課題】一般住宅の免震対策に適した基礎との絶縁、水平方向の揺れの軽減、変動の防止、耐久性がよく、経済的な免震装置を提供する。【解決手段】上部プレートと下部ベースプレートの間にズレ止めで囲んだ鋼球を設置し、水平方向の揺れにその効果を発揮する。また、ズレ止めにより鋼球の外れを防ぎ、基礎部につながる圧縮コイルバネの復元装置で衝突を防ぐ。【選択図】図２
0003114483.tif 000002
【実用新案登録請求の範囲】
【請求項１】
上部プレートと下部ベースプレートにはさまれる４個の転がり鋼球とそれを囲む角パイプのズレ止めで構成される。上部プレートと下部ベースプレートの間に鋼球を置くことにより、基礎と建物が絶縁されるようになる。免震中４個の鋼球はズレ止めの中で自由に転動し、地震によって基礎から伝わる水平方向の力を建物に伝わらないようにすることが特徴の免震装置。
【請求項２】
小梁と基礎をつなぐ圧縮コイルバネにより、上記鋼球式免震装置の水平移動による建物と基礎との衝突を防ぎ、過剰転動をも防ぐ。また圧縮コイルバネにより免震装置をもとの位置に戻すことを特徴とする免震装置。
【考案の詳細な説明】
【技術分野】
【０００１】本考案は、地震による建物、人体への被害を軽減するための免震装置に関する。
【背景技術】
【０００２】住宅などの比較的に軽量な建物に対する免震装置としては、積層ゴム式や、ベアリング式などが用いられる事が多い。そのうち積層ゴム式免震装置は、固有周期を長くしようとすると、ゴム層の径に対する長さの比を大きくする必要があり、座屈を起こしやすい欠点がある。【０００３】一方ベアリング式免震装置は復元機能を持たせるために、皿型の凹面を有する基板の上にベアリングボールを設置する形式のものが提案されており、また振り幅が大きすぎるとベアリングボールが基板の外に逸脱する事を防ぐために環状壁を設けたものや、ボールが周壁に衝突した時に回転が阻止され、ボールの滑り摩擦により制動がかかるようにしたものなどが提案されている
【考案の開示】
【考案が解決しようとする課題】
【０００４】本考案は一般住宅の免震対策に適した基礎との絶縁、水平方向の揺れの軽減、変動を復元する機能を備え、鋼球の使用により耐久性がよく、経済的な免震装置を提供する目的としたものである。
【課題を解決するための手段】
【０００５】本考案の鋼球式免震装置は鋼球がズレないよう上部プレートに角パイプを設置しその中に鋼球を入れる事によってズレを防止する。また下部ベースプレートも免震中鋼球が落ちないよう十分な大きさを備えている。【０００６】本考案の鋼球式免震装置には上部プレートを設置している小梁に圧縮コイルバネを取付け、それを基礎と連結させる事により免震中の過剰転動を防ぎ、下部ベースプレートのもとの位置に戻す役目も果たす。また、地震の揺れエネルギーが大きくてもこの圧縮コイルバネにより基礎と建物との衝突も防ぐ。【０００７】また、万が一何らかの原因で免震装置がもとの位置に戻らない場合には点検口より調整することができる。そして鋼球と圧縮コイルバネを使用することによりコストを抑える利点がある。
【考案の効果】
【０００８】本考案の鋼球式免震装置は従来の免震装置に対し、球体を用いたことで免震機能を高める構造をし、圧縮コイルバネ使用により変動の防止、小さな揺れにもその効果を発揮し、一般住宅に適した性能を実現したものである。
【考案を実施するための最良の形態】
【０００９】図面によって鋼球式免震装置を説明する。図１において鋼球１は水平に設置された下部ベースプレート３の上に設置し、小梁６に設置された上部ベースプレート４にはさまれ、ズレ止め２で囲まれる。そして小梁６と基礎１０に連結している圧縮コイルバネ５により過剰転動、基礎との衝突を防ぎ、復元機能により下部ベースプレート３のもとの位置に達し静止する。【００１０】換気及び点検口７は普段、換気設備として用いられるが、点検時には換気及び点検口７から確認点検をし、もし、鋼球式免震装置がもとの位置に戻らない時は、ここから調整、修復する。【００１１】図３はそれぞれの設備の配置位置を表しており、水平ブレス９で強固なものにしている。図１の通り４つの鋼球からなる免震装置はジョイント部、角部に配置する。圧縮コイルバネ５を多数配置しているため過剰転動も防ぎやすく、もとの位置にも戻しやすくなっている。また、換気及び点検口７も多数設置されているため、多方から確認、点検できるようになっている。
【産業上の利用の可能性】
【００１２】本考案は地震による非定常的外力から建物を保護するために、基礎と建物の間に設ける免震装置の構造に関する。
【図面の簡単な説明】
【００１３】図１は免震装置の断面図。図２は免震装置の平面図。図３はそれぞれの配置位置を表している。
【符号の説明】
１、    ４１ｍｍの鋼球。強度２０トン。
２、    １のズレ止め。□１２５×６×３０。
３、    下部ベース鉄板。ｔ２５×４００×４００。
４、    上部鉄板。ｔ２５×２２５×２２５。
５、    圧縮コイルバネ。外径１１０ｍｍ。線径１２ｍｍ。２９６ｋｇｆ。
６、    小梁。Ｈ１４８×１００×６×９。
７、    換気及び点検口。２００×４００。
８、    コーキング。
９、    水平ブレス。φ１６
１０、  キーストンプレート。
１１、  基礎。
【図１】
0003114483.tif 000003
【図２】
0003114483.tif 000004
【図３】
0003114483.tif 000005
【手続補正書】
【提出日】平成16年4月9日(2004.4.9)
【手続補正１】
【補正対象書類名】実用新案登録請求の範囲
【補正対象項目名】補正の内容のとおり
【補正方法】変更
【補正の内容】
0003114483.tif 000006
0003114483.tif 000007
【手続補正書】
【提出日】平成16年8月10日(2004.8.10)
【手続補正１】
【補正対象書類名】実用新案登録請求の範囲
【補正対象項目名】全文
【補正方法】変更
【補正の内容】
【実用新案登録請求の範囲】
【請求項１】
上部プレートと下部ベースプレートにはさまれる４個の転がり鋼球とそれを囲む角パイプのズレ止めで構成され、上部プレートと下部ベースプレートの間に鋼球を置くことにより、基礎と建物が絶縁されるようになる。免震中４個の鋼球はズレ止めの中で自由に転動し、地震によって基礎から伝わる水平方向の力を軽減させることが特徴の免震装置である。小梁と基礎をつなぐ圧縮コイルバネにより、鋼球式免震装置の水平移動による建物と基礎との衝突を防ぎ、過剰転動をも防ぐ。また圧縮コイルバネは、免震装置をもとの位置に戻す働きもする。
【手続補正書】
【提出日】平成16年12月4日(2004.12.4)
【手続補正１】
【補正対象書類名】実用新案登録請求の範囲
【補正対象項目名】全文
【補正方法】変更
【補正の内容】
【実用新案登録請求の範囲】
【請求項１】
本考案の鋼球式免震装置において。
（１）  上部プレートと下部ベースプレートにはさまれる４個の転がり鋼球とそれを囲む角パイプのズレ止めで構成され、上部プレートと下部ベースプレートの間に鋼球を置くことにより、基礎と建物が絶縁されるようになる。
（２）  免震中４個の鋼球はズレ止めの中で自由に転動し、地震によって基礎から伝わる水平方向の力を軽減させることが特徴の免震装置である。
（３）  小梁と基礎をつなぐ圧縮コイルバネにより、鋼球式免震装置の水平移動による建物と基礎との衝突を防ぎ、過剰転動をも防ぐ。また、この圧縮コイルバネは、免震装置をもとの位置に戻す働きもする。
以上からなる免震装置。
【手続補正書】
【提出日】平成17年4月8日(2005.4.8)
【手続補正１】
【補正対象書類名】実用新案登録請求の範囲
【補正対象項目名】全文
【補正方法】変更
【補正の内容】
【実用新案登録請求の範囲】
【請求項１】
本考案の鋼球式免震装置において、
（１）上部プレートと下部ベースプレートにはさまれる４個の転がり鋼球とそれを囲む角パイプのズレ止めで構成され、上部プレートと下部ベースプレートの間に鋼球を置くことにより、基礎と建物が絶縁されるようになる。
（２）免震中４個の鋼球はズレ止めの中で自由に転動し、地震によって基礎から伝わる水平方向の力を軽減させることが特徴の免震装置である。
（３）小梁と基礎をつなぐ圧縮コイルバネにより、鋼球式免震装置の水平移動による建物と基礎との衝突を防ぎ、過剰転動をも防ぎ、また、この圧縮コイルバネは、免震装置をもとの位置に戻す働きもする。
以上からなる免震装置。